(57)【特許請求の範囲】
【請求項１】
プレス成形品からなる左右一対の羽根７・８が、支軸９を介して縦向きの枢支軸心Ｐまわりに回動自在に連結されており、
一方の羽根７の横一側辺には、上下一対の偏平な枢支ボス１１が設けられており、
他方の羽根８の横一側辺には、上下一対の偏平な枢支ボス１２が設けられており、
これら枢支ボス１１・１２に支軸９を挿通してあり、
一方の羽根７には、上下の枢支ボス１１・１１間に位置する状態で、羽根前面の側で開口する第１凹部１６が凹み形成されており、
他方の羽根８には、上下の枢支ボス１２・１２間に位置する状態で、羽根前面の側で開口する第２凹部１８が凹み形成されており、
戸パネル１・２に凹み形成した取付座１９・２０に、両羽根７・８の各凹部１６・１８をそれぞれ埋め込んだ状態で、各羽根７・８の締結面壁を各戸パネル１・２に密着させてビス１０で締結することができ、
一方の羽根７と支軸９との間には、両羽根７・８の姿勢を全展開位置に保持する節動機構が設けられており、
節動機構が、上下の枢支ボス１１・１２間において支軸９に挿通したカム２９と、第１凹部１６に収容されてカム２９に向かって進退スライドする押圧片２３と、押圧片２３をカム２９に向かって押圧付勢するばね２７とを含み、
両羽根７・８を全屈折した状態において、押圧片２３の一部が第２凹部１８に収容されて、両羽根７・８の板面どうしを密接させることができ、
前記カム２９は、両羽根７・８が同一平面上に全展開されたときに押圧片２３の先端が安定的に係合するよう切り欠き形成された凹入カム２９ａを備えており、
それぞれ非円形に形成された第１・第２凹部１６・１８を収容する取付座１９・２０が、円弧周面で囲まれる概ね円形の座面で形成されており、
取付座１９・２０の円弧周面に接当して、パネル重量をビス１０と協同して負担する複数の受爪２１・２２が、各羽根７・８の板面の裏面側に切り起こし形成されている折り戸用の蝶番。
【請求項２】
第１凹部１６の対向周壁の開口面に、押圧片２３のスライド溝２４と係合して、押圧片２３をスライド自在に案内支持する一対のガイド爪２５が突設されており、
第１凹部１６の底壁に折り起こしたばね受け片２６と押圧片２３との間に、圧縮コイル形のばね２７が配置してある請求項１記載の折り戸用の蝶番。
【請求項３】
カム２９が第２凹部１８の底壁に連続する面壁を折り曲げて羽根８と一体に形成されており、
カム２９の折り曲げ基端部と接当して、両羽根７・８の全展開限界を規定するストッパー片１５が、第１凹部１６の底壁側端に設けてある請求項１又は２記載の折り戸用の蝶番。  
【発明の詳細な説明】
【０００１】
【発明の属する技術分野】
本発明は、節動機構を備えた折り戸用の蝶番に関する。節動機構は、一対の羽根を例えば全展開状態や９０度屈折状態に姿勢保持するためのものである。
【０００２】
【従来の技術】
節動機構を備えた折り戸用蝶番は、実公平１−２５１８０号公報、実開平２−１４４９７９号公報、および登録実用新案公報第３０１４０８０号等に公知である。これらの蝶番は、羽根がプレス成形品で形成してある。本発明の蝶番は、羽根の一部を戸パネルに凹み形成した取付座に埋め込んで固定するが、こうした形態の蝶番は実開平６−７１８２９号公報に公知である。さらに、一対の羽根の間に節動機構を配置したカップ型の蝶番が、意匠登録第７６５２７４号公報に公知である。
【０００３】
【発明が解決しようとする課題】
かかる従来の蝶番は、節動機構の押圧片などが羽根の外面に大きく突出する状態で設けてある。そのため、左右の羽根どうしを対向状に屈折した状態では、一方の羽根が押圧片に接当して、一対の羽根の間に押圧片の突出寸法分の隙間が生じる。こうした蝶番では、折り戸全体の畳み込み寸法が先の隙間の分だけ大きくなるので、折り戸で仕切られた開口の開放幅が小さくなるのを避けられない。
【０００４】
この点、カップ型の蝶番を用いると、隣接する戸パネルどうしをほぼ密接する状態にまで畳み込むことができるので、開口の開放幅を大きくできる利点がある。問題は、カップ型の蝶番の羽根がダイキャスト成形品で形成してあるので、上記のプレス成形品からなる蝶番に比べて、製造コストが高く付く点にある。
【０００５】
先の蝶番にみられるように、一対の羽根をプレス成形品で形成することは困難ではない。しかし、カップ状にプレス成形した羽根に節動機構を設けることは、羽根のプレス加工上の限界や制約があるので、技術的に容易ではない。
【０００６】
本発明の目的は、節動機構と、プレス成形された一対の羽根とを備えていて、羽根の一部が戸パネルに凹み形成した取付座に埋め込み固定される折り戸用の蝶番を提供することにある。本発明の目的は、折り戸の畳み込み寸法を小さくして、開口の開口幅を大きくできるうえ、一対の羽根のそれぞれをプレス成形品で形成して安価に製作できる節動機構を備えた折り戸用の蝶番を提供することにある。本発明の目的は、羽根固定用のねじと協同して戸パネルの重量を負担でき、その分だけ取り付け強度を増強できる折り戸用の蝶番を提供することにある。
【０００７】
【課題を解決するための手段】
本発明は、プレス成形品からなる左右一対の羽根７・８が支軸９を介して回動自在に連結されており、一方の羽根７と支軸９との間に、カム２９と、カム２９に向かって進退スライドする押圧片２３と、押圧片２３をカム２９に向かって押圧付勢するばね２７とを含む節動機構が設けてある折り戸用の蝶番を対象とする。一方の羽根７の板面には、羽根前面の側で開口する第１凹部１６を凹み形成して、この凹部１６内に押圧片２３とばね２７とを収容する。他方の羽根８の板面には、羽根前面の側で開口する第２凹部１８を凹み形成する。両羽根７・８の各凹部１６・１８は、それぞれ戸パネル１に凹み形成した取付座１９・２０に埋め込み固定する。以て、両羽根７・８を全屈折した状態において、押圧片２３の一部が第２凹部１８に収容されて、両羽根７・８の板面どうしを密接できるようにしたものである。
【０００８】
具体的には、それぞれ非円形に形成された第１・第２凹部１６・１８を収容する取付座１９・２０は、円弧周面で囲まれる概ね円形の座面で形成する。取付座１９・２０の円弧周面に接当して、パネル重量をビス１０と協同して負担する複数の受爪２１・２２を有し、この受爪２１・２２は各羽根７・８の板面の裏面側に切り起こし形成する。
【０００９】
第１凹部１６の対向周壁の開口面に、押圧片２３のスライド溝２４に係合して、押圧片２３をスライド自在に案内支持する一対のガイド爪２５を突設する。第１凹部１６の底壁に折り起こしたばね受け片２６と押圧片２３との間に、圧縮コイル形のばね２７を配置する。
【００１０】
カム２９は第２凹部１８の底壁に連続する面壁を折り曲げて羽根８と一体に形成する。カム２９の折り曲げ基端部に接当して、両羽根７・８の全展開限界を規定するストッパー片１５を第１凹部１６の底壁側端に設ける。
【００１１】
【作用】
押圧片２３およびばね２７を一方の羽根７の第１凹部１６内に収容し、他方の羽根８に第２凹部１８を設け、両羽根７・８を全屈折した状態において、第１凹部１６から突出する押圧片２３を第２凹部１８内に収容するので、両羽根７・８の板面どうしが密接する状態にまで、折り戸を畳み込める。両羽根７・８はそれぞれプレス成形品として形成するので、羽根がダイキャスト成形してあるカップ型蝶番に比べて、蝶番の製造コストを減少できる。
【００１２】
両羽根７・８の板面の裏面側に複数の受爪２１・２２を設けて、これら受爪２１・２２とビス１０とでパネル重量を協同して負担するので、ビス１０に対する荷重の集中を避けて、各羽根７・８を戸パネル１に強固に締結でき、蝶番の耐荷重と連結強度とを共に増強できる。第１凹部１６の凹み形状を利用して、その対向周壁の開口面に一対のガイド爪２５を形成し、底壁にばね受け片２６を折り起こしてあるから、羽根７の加工工数がいたずらに増加するのを避けながら、プレス加工を比較的簡単に行える。蝶番全体の部品点数の減少にも役立つ。
【００１３】
【実施例】
（実施例１）
図１ないし図８は本発明の実施例を示す。図２は、２組の折り戸Ａによって開閉するよう構成した家具を示す。各折り戸Ａは、２枚の戸パネル１・２がその突き合わせ端において蝶番３で屈伸可能に枢支連結されている。一方の戸パネル１の一側端は開口Ｓの横側辺に蝶番４を介して揺動開閉可能に連結し、他方の戸パネル２の遊端部はランナで支持されて、開口Ｓの上下辺に設けたレール５・６に沿って横移動のみ可能に走行案内できる。以て、両戸パネル１・２の屈伸連結部を手前側へ突出するように折り込むと、開口Ｓを開放できる。
【００１４】
図１および図３において蝶番３は、略四角形に打ち抜かれた板金プレス材からなる左右一対の羽根７・８を有し、両羽根７・８は支軸９を介して縦向きの枢支軸心Ｐまわりに回動自在に枢支連結されている。各羽根７・８は両戸パネル１・２にそれぞれビス１０によって取り付けられる。図８において、一方の羽根７の横一側辺には、上下一対の偏平な枢支ボス１１を設ける。他方の羽根８の横一側辺には、上下一対の偏平な枢支ボス１２と、枢支軸心Ｐまわりに巻き込み形成された上下に長い幅広の枢支ボス１３とを設ける。これらの枢支ボス１１・１２・１３に支軸９を挿通し、左右の羽根７・８を屈折可能に連結する。枢支ボス１１・１２・１３は、枢支軸心Ｐが各羽根７・８の前面と面一の仮想面上に位置するように突出してある。各枢支ボス１１・１２・１３間にはプラスチック製のカラーを介装する。
【００１５】
一方の羽根７には、上下の枢支ボス１１・１１間に位置する状態で、羽根前面側が開口する第１凹部１６を形成する。他方の羽根８には、上下の枢支ボス１２・１２間に位置する状態で、羽根前面側で開口する第２凹部１８を形成する。図５に示すように、これら第１凹部１６および第２凹部１８は、各戸パネル１・２に堀り込み形成した円形の取付座１９・２０に埋め込んだ状態で、各羽根７・８の締結面壁を各戸パネル１・２に密着させてビス１０で締結する。各羽根７・８の裏面には、前記取付座１９・２０の円弧面からなる内縁と接当係合するよう複数の受爪２１・２２がそれぞれ切り起こし突設されている。これらの受爪２１・２２と取付座１９・２０との係合によって、各羽根７・８の戸パネル１・２に対する位置決めを行える。さらに、パネル重量をビス１０と爪１９・２０とが協同して負担する。第１・第２凹部１６・１８の円弧周壁部も取付座１９・２０に内接して、位置決め作用を発揮する。
【００１６】
一方の羽根７と支軸９との間には、全展開位置と９０度屈折位置において両羽根７・８の姿勢を保持する節動機構が設けてある。節動機構は、第１凹部１６内に収容した押圧片２３と、ばね２７、および先の枢支ボス１３を利用して形成したカム２９とからなる。
【００１７】
押圧片２３は前後に厚い角ブロック状のプラスチック成形品からなり、その厚さの約半分が第１凹部１６に収容されている。押圧片２３の上下端面にはスライド溝２４を横向きに形成する。第１凹部１６における上下の開口縁には、一対のガイド爪２５を羽根７の板面と面一になるよう対向状に切り残し形成する。このガイド爪２５をスライド溝２４に係入して、押圧片２３を左右スライドのみ自在に案内支持する。押圧片２３の内部中央には、枢支軸心Ｐと反対側に向かって開口する穴２８を形成してあり、ここに圧縮コイル形のばね２７を挿入する。ばね２７の他端は、第１凹部１６の底面から切り起こし形成したばね受け片２６で受け止める。これにより、押圧片２３は枢支軸心Ｐ側に向けてスライド付勢されて、押圧片２３の側端がカム２９に常時押し付けられる。
【００１８】
先に述べた通り、カム２９は、上下幅広の枢支ボス１３を利用して形成してあり、両羽根７・８が同一平面上に全展開された時に、押圧片２３の先端が安定的に係合するよう切り欠き形成された凹入カム２９ａと、両羽根７・８を略直角に折り込み回動した際に押圧片２３の先端が当接する偏平なカム面２９ｂとを備えている。両羽根７・８が同一平面上に全展開した状態では、第１凹部１６の底壁側端に設けたストッパー片１５がカム２９の折り曲げ基端部２９ｃに接当して、羽根７・８の全展開限界を規定する（図４参照）。
【００１９】
以上のように構成した蝶番は、図４に示すように折り戸Ａで開口Ｓを閉じた状態では、両羽根７・８が同一平面上に展開されおり、押圧片２３の先端が凹入カム２９ａに安定的に当接して、折り戸を全閉状態に保持する。図６に示すように、折り戸Ａを半開状態に９０度屈折すると、押圧片２３の先端が偏平なカム面２９ｂに安定的に当接して、半開状態を保持する。図７に示すように、折り戸Ａを全開状態に折り込むと、両羽根７・８はその前面が平行に対向するよう回動され、この時は一方の羽根７の前面に突出している押圧片２３が、他方の羽根８の第２凹部１８に収容されるので、両羽根７・８はその前面どうしが接触する状態にまで畳み込み回動できる。従って、両戸パネル１・２は両羽根７、８の板面厚さ分の小間隙ｃを以て接近対向する。
【００２０】
（実施例２）
図９および図１０は本発明に係る蝶番３の別の実施例２を示す。そこでは、各羽根７・８の外形形状を各戸パネル１・２に設けた取付座１９・２０と同心の円形に形成する。取付座１９・２０の周囲に羽根厚さに相当する深さの円形段部１９ａ・２０ａを掘り込んで、各羽根７・８を戸パネル１の面壁と面一状に取り付ける。これによれば、図１０に示すごとく、両羽根７・８を１８０度畳み込んで折り戸Ａを全開した場合に、両戸パネル１・２を隙間なく密着して折り込め、家具等の開口を更に大きく開放できる。この実施例２では、受爪２１・２２を省略した。ばね２７は捻りコイルばねや引っ張りコイルばねを使用できる。カム２９は羽根８とは別体に形成してもよい。
【００２１】
【発明の効果】
本発明では、節動機構を構成する押圧片２３とばね２７とを一方の羽根７の第１凹部１６に収容し、他方の羽根８に第２凹部１８を設け、両羽根７・８を全屈折した状態において、押圧片２３の一部を第２凹部１８内に受け入れて、両羽根７・８の板面どうしを密接できるようにした。従って、折り戸を畳み込んだ状態では全体厚みを小さくでき、その分だけ家具や収納部の開口を大きく開放して、物品の出し入れや人の出入りを一層容易に行える。各羽根７・８をプレス部品で形成するので、これらを鋳造加工する場合に比較して安価に製造できる。羽根７・８の裏面に、ビス１０と協同してパネル重量を負担する受爪２１・２２を設けてあるので、ビス１０への荷重の集中を避けながら、羽根７・８を強固に締結して、蝶番の耐荷重および取り付け強度をそれぞれ増強できる。
【図面の簡単な説明】
【図１】蝶番の斜視図である。
【図２】折り戸を用いた家具の開口部を示す斜視図である。
【図３】本発明に係る折り戸用蝶番の取り付け状態を示す正面図である。
【図４】図３におけるａ−ａ線断面図である。
【図５】図５（ｂ）は図２におけるｂ−ｂ線断面図である。  図５（ｃ）は図２におけるｃ−ｃ線断面図である。
【図６】半開状態の蝶番を示す横断平面図である。
【図７】全開状態の蝶番を示す横断平面図である
【図８】蝶番の分解斜視図である。
【図９】実施例２の蝶番の正面図である
【図１０】実施例２の蝶番の屈折状態を示す横断面図である
【符号の説明】
１・２  戸パネル
７・８  羽根
１１・１２・１３  枢支ボス
１６  第１凹部
１８  第２凹部
１９・２０  取付座
２１・２２  受爪
２３  押圧片
２４  案内溝
２５  ガイド爪
２７  ばね
２８  ばね受け片
２９  カム
Ｐ  枢支軸心
【図１】
0003607024.tif 000002
【図２】
0003607024.tif 000003
【図３】
0003607024.tif 000004
【図４】
0003607024.tif 000005
【図５】
0003607024.tif 000006
【図６】
0003607024.tif 000007
【図７】
0003607024.tif 000008
【図８】
0003607024.tif 000009
【図９】
0003607024.tif 000010
【図１０】
0003607024.tif 000011